(57)【要約】【課題】生体が感じる違和感を軽減または解消させるのに有利な生体情報検出体、ベッド装置、着座装置を提供することを課題とする。【解決手段】生体情報検出体１Ａは、使用者等の生体からの圧力を受けるものであり、生体からの圧力変動を検知する検知部２と、検知部２を覆う弾性層３とを備えている。生体情報検出体１Ａは、第１センサユニット１ｆと第２センサユニット１ｓとを有することができる。【選択図】図３
2008253570.tif 000002
【特許請求の範囲】
【請求項１】
生体からの圧力を受ける生体情報検出体において、前記生体からの圧力変動を検知する検知部と前記検知部が装着される弾性層とを具備していることを特徴とする生体情報検出体。
【請求項２】
生体からの圧力を受ける生体情報検出体において、前記生体からの圧力変動を検知する検知部と前記検知部が装着される弾性層とを備える複数のセンサユニットと、複数個の前記センサユニットを繋ぐ可撓性をもつ連結線とを具備していることを特徴とする生体情報検出体。
【請求項３】
請求項２において、前記隣設するセンサユニット間の間隔距離、および／または、前記隣設するセンサユニット間の角度は、調整可能とされていることを特徴とする生体情報検出体。
【請求項４】
請求項２または３のうちの一項において、前記センサユニットが長さを調整できるように伸縮可能とされていることを特徴とする生体情報検出体。
【請求項５】
請求項４において、長さ調整した前記センサユニットを基部に脱着可能に保持するための保持部材が、前記センサユニットに設けられていることを特徴とする生体情報検出体。
【請求項６】
生体が横たわるためのベッドと、前記ベッドに設けられベッド上に横たわる前記生体からの圧力を受ける側に配置される生体情報検出体とを具備するベッド装置において、前記生体情報検出体は、前記生体からの圧力変動を検知する検知部と前記検知部が装着される弾性層とを具備していることを特徴とするベッド装置。
【請求項７】
生体が着座するための着座部と、前記着座部に設けられ前記着座部上の前記生体からの圧力を受ける側に配置される生体情報検出体とを具備する着座装置において、前記生体情報検出体は、前記生体からの圧力変動を検知する検知部と前記検知部が装着される弾性層とを具備していることを特徴とする着座装置。
【発明の詳細な説明】
【技術分野】
【０００１】
本発明は、生体（例えば人体、ペット等の動物）の情報を検出する生体情報検出体、当該センサユニットを搭載するベッド装置、当該センサユニットを搭載する着座装置に関する。
【背景技術】
【０００２】
特許文献１は、生体情報検出用パネルおよび生体情報検出体を開示している。
このパネルは生体情報を検出するためのものであり、使用者の下側に配置される所定の曲げ剛性をもつ板状をなす金属（アルミニウムまたはアルミニウム合金製）で形成された敷き板部と、敷き板部に配置され敷き板部の曲げ歪みを検出する歪み検出センサとを備えている。使用者の生体活動に基づいて発生する敷き板部の曲げ歪みの変動を、歪み検出センサが検出する。
【特許文献１】特開２００６−４３４４５号公報
【発明の開示】
【発明が解決しようとする課題】
【０００３】
上記した技術によれば、敷き板部における曲げ歪みを検出する歪み検出センサが用いられているため、ベースとなる金属製の敷き板部が必須である。このため使用者の寝心地、座り心地等に大きな影響を与え、寝心地、座り心地等において大きな違和感を与えるおそれがある。
【０００４】
本発明は上記した実情に鑑みてなされたものであり、生体情報の検知に際して、使用者等の生体が感じる違和感を軽減または解消させるのに有利な生体情報検出体、ベッド装置、着座装置を提供することを課題とする。
【課題を解決するための手段】
【０００５】
（１）様相１に係る生体情報検出体は、生体からの圧力を受ける生体情報検出体において、生体からの圧力変動を検知する検知部と検知部が装着される弾性層とを具備していることを特徴とする。検知部は弾性層に装着されているため、生体（一般的には使用者）が感じる違和感が軽減または解消される。検知部は、弾性層に被覆されていることが好ましい。検知部は、複数の弾性層の間に位置し、複数の弾性層で挟まれていることが好ましい。弾性層は弾性変形可能な層であり、ゴムや軟質樹脂等の高分子系が例示され、発泡体等の多孔質体でも良い。弾性層は検知部よりも軟質であることが好ましい。検知部は、有機材料を主要成分として形成されることが好ましい。検知部としては圧電ポリマーを例示でき、殊にポリビニリデンフロライド（ＰＶＤＦ）のフィルムを例示できる。一つのセンサユニットあたりの検知部の数としては特に限定されるものではなく、１個でも、２個でも、３個でも、４個でも、それ以上でも良い。一般的には、上記した生体情報検出体は基部に配置される。この場合、生体情報検出体を基部の表面に配置しても良いし、生体情報検出体を基部の内部に埋設しても良いし、生体情報検出体を基部の裏面に配置しても良い。基部としては、マットレス等の寝具でも良いし、あるいは、マットレス等の寝具を保持するベッドの床板でも良いし、あるいは、生体に接触する着座装置（例えば、車両用、飛行機用または居間用のシート装置、洋式トイレの便座装置）でも良い。上記した生体情報検出体は基部に着脱可能に配置されても良いし、着脱不能に配置されても良い。
【０００６】
（２）様相２に係る生体情報検出体は、生体からの圧力を受ける生体情報検出体において、生体からの圧力変動を検知する検知部と検知部が装着される弾性層とを備えている複数のセンサユニットと、複数個のセンサユニットを繋ぐ可撓性をもつ連結線とを具備していることを特徴とする。検知部は弾性層に装着されているため、生体（一般的には使用者）の違和感が軽減または解消される。センサユニットが複数個設けられているため、使用者等の生体の体型、体重、身長、人数等に応じて、センサユニットが配置される位置を調整すれば、生体情報の検出精度を高めることができる。
【０００７】
複数個のセンサユニットを繋ぐ可撓性をもつ連結線が設けられている。連結線は可撓性を有するため、曲成可能である。従って、使用者等の生体の体型、体重、身長、人数等に応じて、複数個のセンサユニットの相対位置を調整することが可能となる。このため生体情報の検出精度を高めることができる。この連結線に、検知部から導出される信号線が設けられていることが好ましい。また様相２によれば、隣設するセンサユニット間の間隔距離および／または角度は、調整可能とされていることが好ましい。センサユニットとしては、センサユニットの長さを調整できるように伸縮可能とされていることが好ましい。この場合、長さ調整したセンサユニットを基部に保持するための保持部材が、センサユニットに設けられていることが好ましい。伸縮可能な構造としては蛇腹構造を採用しても良い。保持部材としては、マジックテープとも呼ばれる面ファスナー、表面および裏面に接着性を有する両面テープ、ピン止め等が例示される。
【０００８】
（３）様相３に係るベッド装置は、生体が横たわるためのベッドと、ベッドに設けられベッド上に横たわる生体からの圧力を受ける側に配置される生体情報検出体とを具備するベッド装置において、生体情報検出体は、生体からの圧力変動を検知する検知部と検知部が装着される弾性層とを具備していることを特徴とする。検知部は弾性層に装着されているため、ベッド上の生体（一般的には、使用者）の違和感が軽減または解消される。検知部は有機材料を主要成分として形成されることが好ましい。検知部としては圧電ポリマーを例示でき、殊にポリビニリデンフロライド（ＰＶＤＦ）のフィルムを例示できる。生体情報検出体の配置位置をベッドに対して変更できることが好ましい。
【０００９】
（４）様相４に係る着座装置は、生体が着座するための着座部と、着座部に設けられ着座部上の生体からの圧力を受ける側に配置される生体情報検出体とを具備する着座装置において、生体情報検出体は、生体からの圧力変動を検知する検知部と検知部が装着される弾性層とを具備していることを特徴とする。検知部は弾性層に装着されているため、着座部上の生体（一般的には使用者）の違和感が軽減または解消される。検知部は、有機材料を主要成分として形成されることが好ましい。検知部としては圧電ポリマーを例示でき、殊にポリビニリデンフロライド（ＰＶＤＦ）のフィルムまたはシートを例示できる。着座部としては、生体が着座するものであれば良く、車両の車室や住宅の居間等に設置されるシート装置、洋式トイレの便座装置が例示される。生体情報検出体の配置位置を着座部に対して変更できることが好ましい。
【発明の効果】
【００１０】
本発明によれば、生体が感じる違和感を軽減または解消させるのに有利な生体情報検出体を提供することができる。更に、当該生体情報検出体を備えるベッド装置、当該生体情報検出体を備える着座装置を提供することができる。
【発明を実施するための最良の形態】
【００１１】
（実施形態１）
図１および図２は実施形態１を示す。本実施形態に係る生体情報検出体として機能するセンサユニット１は、使用者（生体）からの圧力を受ける側の基部７００（例えばベッド）の上に配置されるものである。このセンサユニット１はこれの長手方向に沿って延設された薄肉の帯状をなしている。センサユニット１は、使用者から受ける圧力（荷重）の変動を検知する検知部としての感圧センサ２と、感圧センサ２の上面および下面（厚み方向の両面）を覆う帯シート状をなすクッション性をもつシート状をなす弾性層３とを備えている。図１に示すように、弾性層３の幅寸法ＬＡは、感圧センサ２の幅寸法ＬＢよりも大きくされている（ＬＡ＞ＬＢ）。感圧センサ２は、受圧した圧力を電気信号として出力するものであり、面状シートまたは板状の形状をなしており、圧電ポリマーを例示でき、殊にポリビニリデンフロライド（ＰＶＤＦ）のフィルムまたはシートとされており、伸縮可能とされている。圧電ポリマーは広い周波数特性を有しており、更に、圧電セラミックスに比較して、柔軟性、耐衝撃性、耐高電圧性、耐水性、化学的安定性を備えている。
【００１２】
図１に示すように、２つの弾性層３は、２つの弾性層３間に位置する高分子系の接着剤層４で接着されている。２つの弾性層３の間に接着剤層４が配置されている。この結果、下側の弾性層３、感圧センサ２、上側の弾性層３からなるセンサ積層体５が形成されている。センサ積層体５の上面、下面及び側面は、外表皮６（例えば布地）で覆われている。図１に示すように、外表皮６は、外方に向く舌片状の融着部６ａをもつ第１外表皮６ｕと、外方に向く舌片状の融着部６ａをもつ第２外表皮６ｄとからなり、融着部６ａ同士を接合して形成されている。外表皮６の下面側には保持部材７が設けられている。図２に示すように、保持部材７はセンサユニット１の長手方向（矢印Ｌ方向）の端部１ｅ側に配置されている。保持部材７は、シート状をなす面ファスナー（マジックテープとも呼ばれる）とされている。保持部材７としては、面ファスナーに代えて、剥離可能で且つ再接合可能な両面テープとしても良い。あるいは、ホック等の凹凸係合を有する構造でも良い。感圧センサ２はこれの厚み方向において２つの弾性層３で挟持されている。各弾性層３および接着剤層４は、高分子材料（例えばウレタンゴム、布地、多孔質シート等）で形成されており、長さ方向（矢印Ｌ方向）および幅方向に沿って伸縮可能とされている。本実施形態によれば、センサユニット１は、センサユニット１の長手方向が使用者の肩幅方向に沿うように配置しても良いし、センサユニット１の長手方向が使用者の身長方向に沿うように配置しても良い。センサユニット１が使用者の身体による圧力（荷重）を受圧できるように、使用者の腹部または腰部に対向する領域に配置されている場合には、使用者の生体情報のうち、主として呼吸情報（例えば、単位時間あたりの呼吸数、単位時間あたりのいびきの数、いびきの振幅等）を良好に検出することができる。センサユニット１が使用者の胸部に対向する領域に配置されている場合には、使用者の生体情報のうち、主として心臓の心拍情報（例えば、単位時間あたりの心拍数等）を良好に検出することができる。なお、呼吸情報の周波数は心拍情報の周波数よりも相対的に低い。且つ、心拍情報の周波数は呼吸情報の周波数よりも相対的に高い。このため呼吸情報の信号と心拍情報の信号とが発生しても、両者の識別は可能である。
【００１３】
図２に示すように、１つのセンサユニット１あたり、感圧センサ２は間隔（均等間隔）を隔てて直列に複数個（３個）配置されている。即ち、１つのセンサユニット１あたり、その長さ方向（矢印Ｌ方向）において、第１感圧センサ２ｆ、第２感圧センサ２ｓおよび第３感圧センサ２ｔが間隔を隔てて直列に配置されている。このため使用者がセンサユニット１の長手方向（矢印Ｌ方向）に移動したとしても、使用者の生体情報（例えば呼吸、心拍）の検出精度を高めることができる。なお、図２において、第１感圧センサ２ｆと第２感圧センサ２ｓとの間隔はＬ１として示す。第２感圧センサ２ｓと第３感圧センサ２ｔとの間隔はＬ２として示す。Ｌ１は例えば１００〜２５０ミリメートルにできる。Ｌ２は例えば１００〜２５０ミリメートルにできる。但しこれに限定されるものではない。
【００１４】
上記したように本実施形態によれば、図２に示すように、センサユニット１には、第１感圧センサ２ｆ、第２感圧センサ２ｓおよび第３感圧センサ２ｔが間隔を隔てて直列に配置されている。このように一つのセンサユニット１の内部には複数個（合計３個）の感圧センサ２（２ｆ，２ｓ，２ｔ）が埋設されているため、使用者の体動等に起因して使用者の横たわる姿勢（就寝中の姿勢）が変化したとしても、その体動を良好に検出することができる。なお、一つのセンサユニット１に装備する感圧センサ２の数としては３個に限定されず、２個でも、４個でも、それ以上でも良く、複数個であれば良い。
【００１５】
本実施形態によれば、図２に示すように、信号処理部８０にセンサユニット１の感圧センサ２を電気的に繋ぐと共に可撓性をもつ連結線９が、センサユニット１の長手方向の端部１ｅから外方に導出されている。連結線９は、結束機能および電気接続機能を有するコネクタ９０をもつ。信号処理部８０は生体情報算出部８２に電気的に接続されている。信号処理部８０で処理された電気信号は、生体情報算出部８２において生体情報（例えば呼吸数、心拍数）として算出される。このように可撓性をもつ連結線９が設けられているため、センサユニット１の感圧センサ２を信号処理部８０に繋いだまま、使用者の体型、体重、身長、人数等に応じて、センサユニット１の相対位置を調整することが可能となる。このため生体情報の検出精度を一層高めることができる。また、センサユニット１が基部７００に固定されていない状態では、センサユニット１は互いに移動可能とされている。センサユニット１を保持するための基部７００においても、保持部材７Ｂ（図１参照）が設けられている。基部７００の保持部材７Ｂは、センサユニット１の保持部材７と脱離可能に接合するものである。保持部材７Ｂは、シート状をなす面ファスナー（マジックテープとも呼ばれる）とされている。従って、センサユニット１を任意の位置に保持することができる。その任意の位置において、生体情報を検出することができる。
【００１６】
本実施形態によれば、感圧センサ２，各弾性層３および接着剤層４は、それぞれ、高分子材料（例えばウレタンゴム、布地、多孔質シート等）で形成されており、長さ方向および幅方向に沿って所定量伸縮可能とされている。また図２に示すように、連結線９の内部には、感圧センサ２ｆ，２ｓ，２ｔからそれぞれ導出される信号線２ｒが設けられている。信号線２ｒは接着剤層４に実質的に埋設されている。感圧センサ２ｆ，２ｓ，２ｔからそれぞれ導出される信号線２ｒの長さは、基本的は同一または同一に近い方が好ましい。部品点数の削減等を図るためである。従って、感圧センサ２ｔに繋がる信号線２ｒは、感圧センサ２ｔの回りに沿って迂回されている。なお、信号線２ｒは接着剤層４の内部に埋設されているが、これに限らず、弾性層３の内部に埋設されていても良い。
【００１７】
図２に示すように、各信号線２ｒは、感圧センサ２ｆ，２ｓ，２ｔからそれぞれ離間して配置されている。感圧センサ２ｆ，２ｓ，２ｔの変形の影響を回避するため、ノイズ低減のためである。従って図２に示すように、感圧センサ２ｆに繋がる信号線２ｒは、感圧センサ２ｓから距離ΔＬＳ離間している。感圧センサ２ｔに繋がる信号線２ｒは、感圧センサ２ｔから距離ΔＬＴ１，ΔＬＴ２離間している。弾性層３および接着層４の伸張に対応できるように、各信号線２ｒは、伸長可能となるように余裕の長さを有しており、且つ、センサユニット１の伸張に耐え得るように複数の曲成部２ｘを有する。即ち、感圧センサ２から導出される信号線２ｒは所定量伸張可能な配線構造とされている。例えば、信号線２ｒは伸張可能なようにコイル状に巻回されている伸縮部２ｗをもつ。このようにセンサユニット１の伸張および収縮に対処できる構造とされている。また、従って、センサユニット１が長手方向に沿って伸張したとしても、信号線２ｒの断線の抑制に有利である。各信号線２ｒには伸縮部２ｗが形成されていなくても良い。なお、センサユニット１は容易には伸張できない構造とされていても良い。
【００１８】
上記したような本実施形態によれば、センサユニット１をその伸張位置で基部７００に容易に保持することができる。即ち、上記した高分子系の感圧センサ２（２ｆ，２ｓ，２ｔ）、高分子系の弾性層３、および、センサユニット１に埋設されている信号線２ｒは、伸縮可能および可撓性をもつことができる。このためセンサユニット１は、センサユニット１はこれの長さを調整できるように長手方向に沿って伸縮可能とすることができる。このため、使用者の体型、体重、身長、人数等に応じて、センサユニット１をこれの長手方向（矢印Ｌ方向）に沿って伸張させ、その状態で、センサユニット１の保持部材７と基部７００の保持部材７Ｂとを互いに接合して基部７００に固定すれば、センサユニット１をその伸張位置で基部７００に着脱可能に保持することができる。この場合、センサユニット１の保持部材７と基部７００の保持部材７Ｂとが剥離可能および接合可能であれば、センサユニット１を伸張した状態で、センサユニット１を基部７００に保持することができる。更に複数の感圧センサ２（２ｆ，２ｓ，２ｔ）はセンサユニット１の長手方向（矢印Ｌ方向）に沿って間隔を隔てて配置されているため、複数の感圧センサ２（２ｆ，２ｓ，２ｔ）を直線状に配置させることが可能となる。よって使用者が移動したとしても、生体情報を検出することができる。センサユニット１は反転可能とすることが好ましい。使用状況等に応じてセンサユニット１の表裏を反転させることにしても良い。この場合、必要に応じて、信号処理部８０における処理を変更することができる。但し、必要に応じて、センサユニット１を反転不可能な構造とすることもできる。なおセンサユニット１を伸張できない構造としても良い。
【００１９】
（実施形態２）
図３および図４は実施形態２を示す。本実施形態は実施形態１と基本的には同様の構成、同様の作用効果を有する。図３および図４に示すように、生体情報検出体１Ａは、第１センサユニット１ｆと、第２センサユニット１ｓとを有する。即ち、上記したように複数個（２個）のセンサユニット１ｆ，１ｓが設けられている。第１センサユニット１ｆ、第２センサユニット１ｓは、実施形態１に係るセンサユニット１の同じタイプであり、同一の断面構造（図１参照）をもつ。センサユニット１ｆ，１ｓは、互いに、同じサイズおよび同じ断面構造とされている。
【００２０】
上記したように同じ種類のセンサユニット１ｆ，１ｓが複数個（２個）設けられているため、使用者の体型、体重、身長、人数等に応じて、第１センサユニット１ｆ，第２センサユニット１ｓが配置される位置を調整することができる。このようにすれば、生体情報（例えば呼吸、心拍、体動）の検出精度を高めることができる利点が得られる。即ち、センサユニット１ｆ，１ｓが使用者の身体による圧力を受圧できるように、使用者の腹部または腰部に対向する領域に配置されている場合には、使用者の生体情報のうち、主として呼吸情報（例えば、単位時間あたりの呼吸数等）、使用者の体動情報（例えば単位時間あたりの寝返り回数、寝返り頻度等の寝返り情報）を良好に検出することができる。生体情報検出体１Ａが使用者の胸部に対向する領域に配置されている場合には、使用者の生体情報のうち、主として心臓の心拍情報（例えば、単位時間あたりの心拍数等）を良好に検出することができる。連結線９は可撓性を有しており、曲成可能であるため、隣設するセンサユニット１ｆ，１ｓ間の間隔距離ＬＥ（図３参照）、および、隣設するセンサユニット１ｆ，１ｓ間の角度θ（図４参照）は、適宜調整可能とされている。従って、使用者（生体）の体型、体重、身長、人数等に応じて、第１センサユニット１ｆおよび第２センサユニット１ｓが配置される位置を調整すれば、使用者（生体）の生体情報の検出精度を高めることができる利点が得られる。
【００２１】
（実施形態３）
図５および図６は実施形態３を示す。本実施形態は実施形態１と基本的には同様の構成、同様の作用効果を有する。図５に示す形態によれば、生体情報検出体１Ａは、第１センサユニット１ｆと、第２センサユニット１ｓとを備えている。第１センサユニット１ｆおよび第２センサユニット１ｓ（複数のセンサユニット）は、これの長手方向（矢印Ｌ方向）が使用者の肩幅方向に沿うように配置されている。従って使用者が肩幅方向（矢印Ｘ方向）に移動したとしても、上記した生体情報を良好に検知できる。更に、図５に示すように、第１センサユニット１ｆと第２センサユニット１ｓ（複数のセンサユニット）は、使用者の身長方向（矢印Ｙ方向）において間隔距離ＬＤを隔てて配置されている。従って使用者が身長方向（矢印Ｙ方向）に移動したとしても、生体情報を良好に検知できる。基部としてのマットレス１００には、マジックテープとも呼ばれる面ファスナー等で形成された保持部材７Ｂが配置されている。第１センサユニット１ｆの長手方向（矢印Ｌ方向）の端部１ｅに設けられている保持部材７と、第２センサユニット１ｓの長手方向（矢印Ｌ方向）の端部１ｅに保持部材７とを、保持部材７Ｂに適宜接合すれば、第１センサユニット１ｆおよび第２センサユニット１ｓを着脱可能に固定することができる。
【００２２】
この結果、使用者の身長等に応じて、互いに隣設する第１センサユニット１ｆと第２センサユニット１ｓと間の間隔距離ＬＤおよび／または角度は、適宜調整可能とすることが好ましい。従って、使用者の体型、体重、身長、人数等に応じて、センサユニット１ｆ，１ｓが配置される位置を調整すれば、生体情報の検出精度を高めることができる利点が得られる。また図６は図５と別の形態を示す。図６に示す形態によれば、生体情報検出体１Ａは、使用者からの圧力を受ける側の基部としてのマットレス１００（寝具）の内部に埋設されている。マットレス１００は使用者が横たわるものであり、弾性に富む内層部材１０１と、内層部材１０１を覆うように弾性に富む外層部材１０２と、外層部材１０２を覆うマット表皮１０３とを備えている。生体情報検出体１Ａはマットレス１００の内部に埋設されているため、生体情報検出体１Ａは、第１センサユニット１ｆと第２センサユニット１ｓとをもつ。第１センサユニット１ｆおよび第２センサユニット１ｓは、マットレス１００に横たわる使用者の身長方向（矢印Ｙ方向）に沿って間隔ＬＤを隔てて配置されている。なお、第１センサユニット１ｆおよび第２センサユニット１ｓは、使用者の身長方向（矢印Ｙ方向）と交差する方向（肩幅方向）に沿って延設されており、使用者が自身の肩幅方向に移動するときであっても、使用者の生体情報を検知することができる。図６に示すように、一方のセンサユニット１ｆは、使用者の腹部または腰部に対向するように、マットレス１００の内部に埋設されている。この場合、使用者の呼吸情報（例えば、単位時間あたりの呼吸数等）を良好に検出することができる。他方のセンサユニット１ｓは、使用者の胸部に対向するように、マットレス１００の内部に埋設されている。この場合、使用者の心臓の心拍情報（例えば、単位時間あたりの心拍数等）を良好に検出することができる。図６に示すように、使用者とセンサユニット１ｆ，１ｓとの間には、クッション性をもつ内層部材１０１が配置されている。このため使用者がマットレス１００に横たわるとき、感圧センサ２に基づく違和感が軽減または解消される。
【００２３】
（実施形態４）
図７は実施形態４を示す。本実施形態は実施形態１と基本的には同様の構成、同様の作用効果を有する。図７に示すように、生体情報検出体１Ａ，１Ｂは、それぞれ、可撓性をもつ連結線９で端部１ｅ同士が連結された第１センサユニット１ｆと第２センサユニット１ｓとで形成されている。かかる生体情報検出体１Ａ，１Ｂが２個１組で使用されている。図７に示すように、一方の生体情報検出体１Ａの第１センサユニット１ｆと第２センサユニット１ｓとの間には、他方の生体情報検出体１Ｂの第１センサユニット１ｆが配置されている。この結果、直線Ｙ２が延設されている方向に沿って、生体情報検出体１Ａの第１センサユニット１ｆ、他方の生体情報検出体１Ｂの第１センサユニット１ｆ、一方の生体情報検出体１Ａの第２センサユニット１ｓ、他方の生体情報検出体１Ｂの第２センサユニット１ｓが順に配置されている。従って、使用者の体型、体重、身長、人数等に応じて、センサユニット１ｆ，１ｓが配置される位置を調整すれば、生体情報の検出精度を高めることができる利点が得られる。更に本実施形態によれば、使用者が肩幅方向に沿って移動しても、身長方向に沿って移動しても、使用者の身体の姿勢の向きを良好に検知できる。なお、図７に示すように、一方の生体情報検出体１Ａの連結線９と他方の生体情報検出体１Ｂの連結線９とは、互いに反対側に配置されている。
【００２４】
（実施形態５）
図８は実施形態５を示す。本実施形態は実施形態１と基本的には同様の構成、同様の作用効果を有する。図８に示すように、生体情報検出体１Ａ，１Ｂは、可撓性をもつ連結線９で端部１ｅ同士が連結された第１センサユニット１ｆと第２センサユニット１ｓとで形成されている。かかる生体情報検出体１Ａ，１Ｂが２個１組で使用されている。図８に示すように、直線Ｙ２が延設されている方向に沿って、一方の生体情報検出体１Ａの第１センサユニット１ｆ、一方の生体情報検出体１Ａの第２センサユニット１ｓ、他方の生体情報検出体１Ｂの第１センサユニット１ｆ、他方の生体情報検出体１Ｂの第２センサユニット１ｓが順に配置されている。一方の生体情報検出体１Ａの連結線９と他方の生体情報検出体１Ｂの連結線９とは、同じ側に配置されている。第１センサユニット１ｆには２個の感圧センサ２が設けられている。第２センサユニット１ｓには２個の感圧センサ２が設けられている。更に本実施形態によれば、使用者が肩幅方向に移動しても、伸張方向に移動しても、使用者の身体の姿勢の向きを良好に検知できる。
【００２５】
（実施形態６）
図９（Ａ）（Ｂ）は実施形態６を示す。本実施形態は実施形態１と基本的には同様の構成、同様の作用効果を有する。図９（Ａ）（Ｂ）に示すように、ベッド装置２００は、水平方向に沿った床板２０１をもつベッド２０２と、ベッド２０２の床板２０１に載せられたクッション力を有するマットレス１００とをもつ。ベッド２０２は、使用者の頭側に位置するヘッドボードとも呼ばれるヘッド部２０３と、使用者の脚側に位置するフットボードとも呼ばれるフット部２０４とをもつ。マットレス１００は、クッションを有する厚肉のベース３００と、ベース３００の上面の凹状部３０１に保持された弾性体ユニット３５０とで形成されている。
【００２６】
図９（Ｂ）に示すように、弾性体ユニット３５０は、下層シート３５１と、下層シート３５１上に互いに間隔を隔てて配置された複数個の柱状弾性体３５２と、複数の柱状弾性体３５２間の隙間を埋める埋設部材３５５とをもつ。使用者が荷重が柱状弾性体３５２に作用するとき、柱状弾性体３５２の転倒は、埋設部材３５５により抑制される。柱状弾性体３５２はこれの軸線ＰＥ（図９（Ｂ）参照）は上下方向に沿っている。柱状弾性体３５２の上面３５３は、使用者の荷重を受ける受圧面となるべく、埋設部材３５５の上面３５６よりも上方に突出している。柱状弾性体３５２の下面は、下層シート３５１に載せられている。柱状弾性体３５２は軟質性に富むものであり、円柱形状であるが、四角柱形状または三角柱形状としても良い。柱状弾性体３５２は、ゴム状弾性を有するエラストマーを基材とすることが好ましい。殊に、オイル等の液分を含んでいることが好ましいが、場合によっては、オイル等の液分を含んでいなくても良い。ここで、エラストマーは架橋構造を有する高分子材料をいう。但し、化学的架橋なしでゴム状弾性が得られる熱可塑性エラストマーで柱状弾性体３５２を形成しても良い。柱状弾性体３５２は多孔質体でも良いし、非多孔質体でも良い。柱状弾性体３５２が非多孔質体であれば、使用者の心拍振動、呼吸振動、体動等といった生体振動の伝達性を高めることができるため、使用者の生体情報の検出性を向上させることができる。
【００２７】
生体情報検出体１Ａは、第１センサユニット１ｆと第２センサユニット１ｓと連結線９とを備えている。図９（Ａ）に示すように、第１センサユニット１ｆは、使用者の胸側の下方に位置するように、弾性体ユニット３５０（本実施形態における基部に相当）の柱状弾性体３５２の上面３５３に設置されている。第２センサユニット１ｓは、使用者の腹側の下方に位置するように、弾性体ユニット３５０（本実施形態における基部に相当）の柱状弾性体３５２の上面３５３に設置されている。このため、使用者の身体と生体情報検出体１Ａのセンサユニット１ｆ，１ｓとの間の距離を近づけることができる。よって、生体情報検出体１Ａの感圧センサ２による生体情報の検出精度は良好とされている。使用者の身体と生体情報検出体１との間の距離を近づけているものの、センサユニット１ｆ，１ｓに埋設されている感圧センサ２は高分子系であり、弾性層３も高分子系であるため、センサユニット１ｆ，１ｓ自体は軟質であり、可撓性に富む（可撓性を有する）。
【００２８】
このため、センサユニット１ｆ，１ｓが柱状弾性体３５２の上面３５３に設置されていたとしても、使用者に与える違和感を低減させることができる。なお、第１センサユニット１ｆと第２センサユニット１ｓはマット表皮（図略）により覆われて保護されている。マット表皮はマットレス１００から離脱可能であるため、マット表皮をマットレス１００から離脱させた状態で、センサユニット１ｆ，１ｓを移動させれば、使用者の体型、体重、身長、人数等に応じて、センサユニット１ｆ，１ｓが配置される位置を使用者は調整することができ、生体情報の検出精度を高めることができる利点が得られる。
【００２９】
ところで、密閉状態の空気室をもつ空気マットが弾性体マットとして使用されている場合には、空気マットの空気室の全体が連通しているため、空気マットの１箇所に圧力が作用すると、その圧力が空気マットの全体にわたり広い面積で影響を与えるおそれがある。この場合、センサユニット１ｆ，１ｓの感圧センサ２により使用者の生体情報を検出する検出精度が低下するおそれがある。この点本実施形態によれば、弾性体マットにおいて複数の柱状弾性体３５２が互いに離間して配置されている。このため、隣設する複数の柱状弾性体３５２のうち、一方の柱状弾性体３５２が弾性変位するとき、他方の柱状弾性体３５２に影響を与えにくい。このためセンサユニット１ｆ，１ｓの感圧センサ２による生体情報の検出精度は良好とされている。
【００３０】
（実施形態７）
図１０（Ａ）（Ｂ）は実施形態７を示す。本実施形態は実施形態７と基本的には同様の構成、同様の作用効果を有する。図１０（Ａ）（Ｂ）に示すように、ベッド装置２００は、水平方向に沿った床板２０１をもつベッド２０２と、ベッド２０２の床板２０１に載せられたマットレス１００とをもつ。ベッド２０２は使用者の頭側のヘッド部２０３をもつ。マットレス１００は、クッションを有する厚肉のベース３００と、ベース３００の上面の凹状部３０１に保持された弾性体ユニット３５０と、弾性体ユニット３５０およびベース３００を覆うマット表皮３５９とで形成されている。マット表皮３５９は、面ファスナー、接着テープ等によりベース３００に対して離脱可能に取り付けられる。
【００３１】
図１０（Ｂ）に示すように、弾性体ユニット３５０は、下層シート３５１と、下層シート３５１上に互いに間隔を隔てて配置された複数個の柱状弾性体３５２と、複数の柱状弾性体３５２間の隙間を埋める埋設部材３５５とをもつ。埋設部材３５５は、柱状弾性体３５２の倒れ込みを抑制する機能を果たす。柱状弾性体３５２の高さ位置は、埋設部材３５５の高さ位置よりも高い。図１０（Ａ）に示すように、生体情報検出体１Ａは、第１センサユニット１ｆと第２センサユニット１ｓと連結線９とを備えている。第１センサユニット１ｆは、横たわる使用者の胸側の下方に位置するように、柱状弾性体３５２の下方側において下層シート３５１の下面とベース３００の上面との間に設置されている。第２センサユニット１ｓは使用者の腹側の下方に位置するように、柱状弾性体３５２の下方側において下層シート３５１の下面３５１ｄとベース３００の上面３００ｕとの間に設置されている。
【００３２】
センサユニット１ｆ，１ｓは弾性体ユニット３５０の下面側に配置されているため、センサユニット１ｆ，１ｓの上方には、弾性に富む弾性体ユニット３５０が配置されている。このため使用者がマットレス１００に横たわるとき、センサユニット１ｆ，１ｓに起因する抵抗感が低減される。よって、使用者に違和感を与えることが抑制され、使用者の寝心地感が良好となる。なお柱状弾性体３５２は多孔質体でも良いし、非多孔質体でも良い。上記した柱状弾性体３５２はエラストマーを基材としており、使用者の心拍振動、呼吸振動、体動等といった生体振動の伝達性を高めることができる。このため、センサユニット１ｆ，１ｓが柱状弾性体３５２の下側に配置されていたとしても、使用者の生体情報を検出する検出性を向上させることができる。本実施形態によれば、マット表皮３５９を外した状態で、弾性体ユニット３５０はベース３００から離脱可能である。このため弾性体ユニット３５０をベース３００から離脱させれば、センサユニット１ｆ，１ｓを取り出して、センサユニット１の配置位置を調整することができる。センサユニット１ｆ，１ｓの配置位置を調整した後、弾性体ユニット３５０をベース３００に取り付け、マット表皮３５９で覆えば良い。よって、使用者の体型、体重、身長、人数等に応じて、センサユニット１ｆ，１ｓが配置される位置を使用者は調整することができ、生体情報の検出精度を高めることができる利点が得られる。なお、マット表皮３５９を容易には外せない構造とすることもできる。
【００３３】
（実施形態８）
図１１（Ａ）（Ｂ）は実施形態８を示す。本実施形態は実施形態６と基本的には同様の構成、同様の作用効果を有する。図１１に示すように、ベッド装置２００は、水平方向に沿った床板２０１をもつベッド２０２（本実施形態における基部に相当する）と、ベッド２０２の床板２０１に載せられたマットレス１００と、マット表皮３５９とをもつ。生体情報検出体１Ａは、第１センサユニット１ｆと第２センサユニット１ｓと連結線９とを備えている。図１１（Ａ）に示すように、第１センサユニット１ｆは使用者の胸側の下方に位置するように、即ち、柱状弾性体３５２の下方に位置するように、ベース３００の下面と、床板２０１の上面との間に配置されている。床板２０１はベース３００よりも硬質とされている。ベース３００は床板２０１よりも軟質とされている。センサユニット１ｓは使用者の腹側の下方に位置するように、即ち、柱状弾性体３５２の下方に位置するように、ベース３００の下面３００ｄと床板２０１の上面２０１ｕとの間に配置されている。このようにセンサユニット１ｆ，１ｓはベース３００の下面３００ｄ側に配置されているため、使用者の身体とセンサユニット１ｆ，１ｓとをできるだけ遠ざけることができ、使用者が感じる違和感を一層軽減できる。柱状弾性体３５２は、中実な上記したエラストマーを基材としており、多孔質体ではない。従って、柱状弾性体３５２は、ウレタンフォーム等の多孔質体に比較して使用者の心拍振動、呼吸振動、体動等といった生体に関する振動を伝達する伝達性を高めることができる。このため、センサユニット１ｆ，１ｓがマットレス１００の下側に配置されていたとしても、生体情報を検出する検出性を向上させることができる。
【００３４】
（実施形態９）
図１２は実施形態９を示す。本実施形態は実施形態６と基本的には同様の構成、同様の作用効果を有する。図１２に示すように、ベッド装置は、図略の床板に載せられたマットレス１００をもつ。生体情報検出体１Ａは、第１センサユニット１ｆと第２センサユニット１ｓと連結線９とを備えている。第１センサユニット１ｆは使用者の胸側の下方に位置するように、即ち、柱状弾性体３５２の下方に位置するように配置されている。第２センサユニット１ｓは使用者の腹側または腰側の下方に位置するように、即ち、柱状弾性体３５２の下方に位置するように配置されている。本実施例によれば、身長が高い使用者が想定されており、第１センサユニット１ｆと第２センサユニット１ｓとの間隔ＬＥ（図１２参照）は、長めの寸法に設定されている。
【００３５】
（実施形態１０）
図１３は実施形態１０を示す。本実施形態は実施形態６と基本的には同様の構成、同様の作用効果を有する。図１３に示すように、生体情報検出体１Ａは第１センサユニット１ｆと第２センサユニット１ｓと連結線９とを備えている。第１センサユニット１ｆと第２センサユニット１ｓは、使用者の身長方向（矢印Ｙ方向）と交差する方向（矢印Ｘ方向）に沿って間隔を隔てて配置されている。即ち、マットレス１００において、第１センサユニット１ｆは、使用者の身長方向（矢印Ｙ方向）と交差する方向（矢印Ｘ方向）において一方側に配置されている。第２センサユニット１ｓは、使用者の身長方向（矢印Ｙ方向）と交差する方向（矢印Ｘ方向）において他方側に配置されている。この場合には、ベッド装置に横たわる使用者が、ベッドの長辺２００ａ側に移動しているとき、第１センサユニット１ｆは使用者の生体情報を良好に検知できる。ベッド装置２００に横たわる使用者が、ベッドのうち反対側の長辺２００ｂ側に移動しているとき、第２センサユニット１ｓは使用者の生体情報を良好に検知できる。更に、ベッド装置に横たわる使用者が、ベッドの長辺２００ａ側，長辺２００ｂ側に移動するとき、使用者の生体情報を良好に検知できるため、ベッドに横たわる使用者が落下するかどうかの判定に使用することができる。
【００３６】
（実施形態１１）
図１４は実施形態１１を示す。本実施形態は実施形態６と基本的には同様の構成、同様の作用効果を有する。図１４に示すように、生体情報検出体１Ａは第１センサユニット１ｆと第２センサユニット１ｓとを備えている。第１センサユニット１ｆは使用者の胸側の下方に位置する。第２センサユニット１ｓは使用者の腰部または腹部側に位置する。第３センサユニット１ｔはベッドの長辺部２００ａ側において、長辺部２００ａに沿って配置されている。第４センサユニット１ｈはベッドの長辺部２００ｂ側において、長辺部２００ｂに沿って配置されている。従って、第３センサユニット１ｔは、使用者の身長方向（矢印Ｙ方向）と交差する方向（矢印Ｘ方向）において一方側に配置されている。第４センサユニット１ｈは、使用者の身長方向（矢印Ｙ方向）と交差する方向（矢印Ｘ方向）において他方側に配置されている。この場合、ベッド装置に横たわる使用者が、ベッドの長辺２００ａ側に移動しているとき、第３センサユニット１ｔにより使用者の生体情報を良好に検知できる。更に、ベッド装置に横たわる使用者が、ベッドの長辺２００ｂ側に移動するとき、第４センサユニット１ｈにより使用者の生体情報を良好に検知できる。更に、第３センサユニット１ｔおよび第４センサユニット１ｈにより、ベッドに横たわる使用者が落下するかどうかの判定に使用することができる。第１センサユニット１ｆの第１連結線９ｆ、第２センサユニット１ｓの第２連結線９ｓ、第３センサユニット１ｔの第３連結線９ｔ、第４センサユニット１ｈの第４連結線９ｈは、結束されている。
【００３７】
（実施形態１２）
図１５は実施形態１２を示す。本実施形態は実施形態６と基本的には同様の構成、同様の作用効果を有する。図１５に示すように、着座装置としての人体用のシート装置５００の着座部は、使用者の腰部を支える座部５０１と、使用者の背中を支える背もたれ部５０２とをもつ。座部５０１には生体情報検出体１Ａが埋設されている。背もたれ部５０２にも、同種の生体情報検出体１Ａが埋設されている。これによりシート装置５００に着座している使用者の生体情報（心拍数、呼吸数等）を生体情報検出体１Ａにより検出することができる。シート装置５００が車両、飛行機等の移動体に搭載されていれば、走行中における運転者等の乗員に関して、生体情報（心拍数、呼吸数等）を生体情報検出体１Ａにより検出することができる。シート装置５００が居間等に搭載されていれば、着座中における使用者に関して、生体情報（例えば心拍数、呼吸数、体動等）を生体情報検出体１Ａにより検出することができる。生体情報検出体１Ａが送信部を備えており、生体情報検出体１Ａの検出信号をワイヤレスで信号処理部８０の受信部に送信しても良い。あるいは、電話回線網、インターネットを介して監視センターに送信しても良い。
【００３８】
（その他）面ファスナー等の保持部材は、センサユニットおよび基部のうちの少なくとも一方に設けられていれば良い。本発明は上記し且つ図面に示した実施形態のみに限定されるものではなく、要旨を逸脱しない範囲内で適宜変更して実施できる。
【００３９】
上記した記載から次の技術的思想も把握できる。
（付記項１）生体からの圧力を受ける生体情報検出体において、前記生体からの圧力変動を検知する検知部と前記検知部を覆う弾性層とを具備していることを特徴とする生体情報検出体。検知部の厚み方向の両面を弾性層で覆っても良いし、検知部の厚み方向の片面を弾性層で覆っても良い。
【産業上の利用可能性】
【００４０】
本発明は生体情報検出体、当該センサユニットを搭載するベッド装置、当該センサユニットを搭載する着座装置（例えば車両、飛行機、船体等の移動体のシート装置、洋式トイレの便座装置）に利用できる。
【図面の簡単な説明】
【００４１】
【図１】図２のＩＩ−ＩＩ線に沿った断面を示すセンサユニットの断面図である。
【図２】センサユニットの内部構造を示す概念図である。
【図３】実施形態２に係り、センサユニットの内部構造を示す概念図である。
【図４】実施形態２に係り、センサユニットの内部構造を示す概念図である。
【図５】実施形態３に係り、センサユニットをもつ生体情報検出体を装備したマットレスの構造を示す概念図である。
【図６】実施形態３に係り、センサユニットをもつ生体情報検出体を装備したマットレスの構造の断面を示す概念図である。
【図７】実施形態４に係り、生体情報検出体のセンサユニットの内部構造を示す概念図である。
【図８】実施形態５に係り、生体情報検出体のセンサユニットの内部構造を示す概念図である。
【図９】実施形態６に係り、（Ａ）はセンサユニットをもつ生体情報検出体を配置したマットレス（マット表皮を外した状態）の平面を示す概念図であり、（Ｂ）はセンサユニットをもつ生体情報検出体を配置したマットレス（マット表皮を外した状態）の断面を示す概念図である。
【図１０】実施形態７に係り、（Ａ）はセンサユニットをもつ生体情報検出体１Ａを配置したマットレス（マット表皮を外した状態）の平面を示す概念図であり、（Ｂ）はセンサユニットをもつ生体情報検出体を配置したマットレス（マット表皮を外した状態）の断面を示す概念図である。
【図１１】実施形態８に係り、（Ａ）はセンサユニットをもつ生体情報検出体を配置したマットレス（マット表皮を外した状態）の平面を示す概念図であり、（Ｂ）はセンサユニットをもつ生体情報検出体を配置したマットレス（マット表皮を外した状態）の断面を示す概念図である。
【図１２】実施形態９に係り、センサユニットをもつ生体情報検出体を配置したマットレス（マット表皮を外した状態）の平面を示す概念図である。
【図１３】実施形態１０に係り、センサユニットをもつ生体情報検出体を配置したマットレス（マット表皮を外した状態）の平面を示す概念図である。
【図１４】実施形態１１に係り、センサユニットをもつ生体情報検出体を配置したマットレス（マット表皮を外した状態）の平面を示す概念図である。
【図１５】実施形態１２に係り、生体情報検出体を配置した着座装置を示す斜視図である。
【符号の説明】
【００４２】
１Ａは生体情報検出体、１ｆは第１センサユニット、１ｓは第２センサユニット、２，２ｆ，２ｓ，２ｔは感圧センサ（検知部）、３は弾性層、５はセンサ積層体、７は保持部材、９は連結線を示す。
【図１】
2008253570.tif 000003
【図２】
2008253570.tif 000004
【図３】
2008253570.tif 000005
【図４】
2008253570.tif 000006
【図５】
2008253570.tif 000007
【図６】
2008253570.tif 000008
【図７】
2008253570.tif 000009
【図８】
2008253570.tif 000010
【図９】
2008253570.tif 000011
【図１０】
2008253570.tif 000012
【図１１】
2008253570.tif 000013
【図１２】
2008253570.tif 000014
【図１３】
2008253570.tif 000015
【図１４】
2008253570.tif 000016
【図１５】
2008253570.tif 000017